(57)【要約】      （修正有）【課題】シガーライタのソケットやバッテリを取り付けて外部電源を不要にし、野外で使用できるようにする。【解決手段】フィルム状のヒータとフィルム状の熱伝導素材とフィルム状の非熱伝導素材とフィルム状の電極で構成し、電気ヒータを使って食品を加熱する調理器をフィルム状にする。【選択図】図１
0003132942.tif 000002
【実用新案登録請求の範囲】
【請求項１】
フィルム状のヒータとフィルム状の熱伝導素材とフィルム状の非熱伝導素材とフィルム状の電極とフィルム状の抵抗値の高い絶縁素材で構成される調理器において、食品に熱を伝える為にフィルム状のヒータの上側にフィルム状の熱伝導素材があり、調理器を置いた下側の物が燃えない為にフィルム状のヒータの下側にフィルム状の非熱伝導素材があり、フィルム状の電極とフィルム状の抵抗値の高い絶縁素材で電気回路を構成する上記記載の調理器
【請求項２】
請求項１記載の調理器のヒータに、シリコン系接着剤とカーボン粉末を練ってフィルム状に固めたヒータで構成される請求項１記載の調理器
【請求項３】
請求項１記載の調理器のヒータに、ポリエステル系接着剤とカーボン粉末を練ってフィルム状に固めたヒータで構成される請求項１記載の調理器
【請求項４】
請求項１記載の調理器のヒータに、ＥＶＡ系接着剤とカーボン粉末を練ってフィルム状に固めたヒータで構成される請求項１記載の調理器
【請求項５】
請求項１記載の調理器の熱伝導素材に、シリコン系接着剤とアルミ粉末を練ってフィルム状に固めたヒータで構成される請求項１記載の調理器
【請求項６】
請求項１記載の調理器のヒータに、ポリエステル系接着剤とアルミ粉末を練ってフィルム状に固めたヒータで構成される請求項１記載の調理器
【請求項７】
請求項１記載の調理器のヒータに、ＥＶＡ系接着剤とアルミ粉末を練ってフィルム状に固めたヒータで構成される請求項１記載の調理器
【請求項８】
請求項１記載の調理器の熱伝導素材に、シリコン系接着剤と鉄粉末を練ってフィルム状に固めたヒータで構成される請求項１記載の調理器
【請求項９】
請求項１記載の調理器のヒータに、ポリエステル系接着剤と鉄粉末を練ってフィルム状に固めたヒータで構成される請求項１記載の調理器
【請求項１０】
請求項１記載の調理器のヒータに、ＥＶＡ系接着剤と鉄粉末を練ってフィルム状に固めたヒータで構成される請求項１記載の調理器
【請求項１１】
請求項１記載の調理器の熱伝導素材に、シリコン系接着剤と銅粉末を練ってフィルム状に固めたヒータで構成される請求項１記載の調理器
【請求項１２】
請求項１記載の調理器のヒータに、ポリエステル系接着剤と銅粉末を練ってフィルム状に固めたヒータで構成される請求項１記載の調理器
【請求項１３】
請求項１記載の調理器のヒータに、ＥＶＡ系接着剤と銅粉末を練ってフィルム状に固めたヒータで構成される請求項１記載の調理器
【請求項１４】
請求項１記載の調理器のヒータに、ポリエステル系のフィルムにカーボン粉末を接着剤で付けたヒータで構成される請求項１記載の調理器
【請求項１５】
請求項１記載の調理器のヒータに、ポリエステル系のフィルムにアルミ粉末を接着剤で付けたヒータで構成される請求項１記載の調理器
【請求項１６】
請求項１記載の調理器のヒータに、ポリエステル系のフィルムに鉄粉末を接着剤で付けたヒータで構成される請求項１記載の調理器
【請求項１７】
請求項１記載の調理器のヒータに、ポリエステル系のフィルムに銅粉末を接着剤で付けたヒータで構成される請求項１記載の調理器
【請求項１８】
請求項１記載の調理器のヒータに、ポリエステル系のフィルムにカーボン粒子を蒸着したヒータで構成される請求項１記載の調理器
【請求項１９】
請求項１記載の調理器のヒータに、ポリエステル系のフィルムにアルミ粒子を蒸着したヒータで構成される請求項１記載の調理器
【請求項２０】
請求項１記載の調理器のヒータに、ポリエステル系のフィルムに鉄粒子を蒸着したヒータで構成される請求項１記載の調理器
【請求項２１】
請求項１記載の調理器のヒータに、ポリエステル系のフィルムに銅粒子を蒸着したヒータで構成される請求項１記載の調理器
【請求項２２】
請求項１記載の調理器のヒータに、ポリエステル系のフィルムにカーボン粒子をインク化したヒータで構成される請求項１記載の調理器
【請求項２３】
請求項１記載の調理器のヒータに、ポリエステル系のフィルムにアルミ粒子をインク化したヒータで構成される請求項１記載の調理器
【請求項２４】
請求項１記載の調理器のヒータに、ポリエステル系のフィルムに鉄粒子をインク化したヒータで構成される請求項１記載の調理器
【請求項２５】
請求項１記載の調理器のヒータに、ポリエステル系のフィルムに銅粒子をインク化したヒータで構成される請求項１記載の調理器
【請求項２６】
請求項１記載の調理器の熱伝導素材に、フィルム状のアルミで構成される請求項１記載の調理器
【請求項２７】
請求項１記載の調理器の熱伝導素材に、フィルム状の鉄で構成される請求項１記載の調理器
【請求項２８】
請求項１記載の調理器の熱伝導素材に、フィルム状の銅で構成される請求項１記載の調理器
【請求項２９】
請求項１記載の調理器の非熱伝導素材に、セラミックファイバーを繊維状に編んでフィルム状にした非熱伝導素材で構成される請求項１記載の調理器
【請求項３０】
請求項１記載の調理器の非熱伝導素材に、ガラスファイバーを繊維状に編んでフィルム状にした非熱伝導素材で構成される請求項１記載の調理器
【請求項３１】
請求項１記載の調理器の非熱伝導素材に、セラミック粉末と耐熱接着剤を練ってフィルム状に固めた非熱伝導素材で構成される請求項１記載の調理器
【請求項３２】
請求項１記載の調理器の熱伝導素材にテフロン加工をした請求項１記載の調理器
【請求項３３】
請求項１記載の調理器に、温度が上がると抵抗値が上がるフィルム状のＰＴＣサーミスタでヒータの電流を制御する請求項１記載の調理器
【考案の詳細な説明】
【技術分野】
【０００１】本発明は電気ヒータを使って食品を加熱するフィルム状の調理器に関する。
【背景技術】
【０００２】従来の電気ヒータを使って食品を加熱する調理器はニクロム線やセラミックヒータに電気を流して発熱させ、その熱で食品を加熱している。
【考案の開示】
【考案が解決しようとする課題】
【０００３】従来の電気ヒータを使って食品を加熱する調理器はニクロム線やセラミックヒータで構成し、フィルム状でない為、折り曲げて携帯することは出来ない。【０００４】従来の電気ヒータを使って食品を加熱する調理器はニクロム線やセラミックヒータで構成し、フィルム状でない為、形状が厚く、携帯するには不便である。【０００５】従来の電気ヒータを使って食品を加熱する調理器はニクロム線やセラミックヒータで構成し、フィルム状でない為、キッチンユニット等に取り付ける際、厚さの制限がある。【０００６】従来のセラミックヒータを使って食品を加熱する調理器はセラミックヒータの体積が大きい為、ヒータが調理温度になるまで時間がかかる。【０００７】従来のニクロム線を使って食品を加熱する調理器はニクロム線が長くニクロム線同士が接触しないように絶縁物が入って入る為、熱が食品に均一に伝わらない。
【課題を解決するための手段】
【０００８】シリコン系、ポリエステル系、ＥＶＡ系の接着剤と、カーボン粉末、アルミ粉末、鉄粉末、銅粉末を練ってフィルム状に固めたヒータの両端にフィルム状の電極を張り、フィルム状のヒータの片面に、フィルム状の抵抗値の高い絶縁素材を貼り、更にその上にフィルム状のアルミ、フィルム状の鉄、フィルム状の銅のいずれかを貼り付ける。上記フィルム状のヒータのもう片面に、フィルム状のガラスファイバー、フィルム状のセラミックファイバー、セラミック粉末と耐熱接着剤を練ってフィルム状に固めたもののいずれかを貼り付ける。上記の方法で電気ヒータを使って食品を加熱するフィルム状の調理器にする。【０００９】また、上記の方法がポリエステル系のフィルムにカーボン粉末、アルミ粉末、鉄粉末、銅粉末を接着剤で付けたヒータで構成した電気ヒータを使って食品を加熱するフィルム状の調理器にする。【００１０】また、上記の方法がポリエステル系のフィルムにカーボン粒子、アルミ粒子、鉄粒子、銅粒子を蒸着したヒータで構成した電気ヒータを使って食品を加熱するフィルム状の調理器にする。
【考案の効果】
【００１１】電気ヒータを使って食品を加熱する調理器をフィルム状にすることで、折り曲げて携帯することは出来る。【００１２】電気ヒータを使って食品を加熱する調理器をフィルム状にすることで、厚さの薄く、巻たり、または物に挟んで携帯することは出来る。【００１３】電気ヒータを使って食品を加熱する調理器をフィルム状にすることで、キッチンユニット等に取り付け、容易に凸凹のないクッキングヒータに出来る。【００１４】電気ヒータを使って食品を加熱する調理器をフィルム状のヒータで構成することで、ヒータが調理温度になるまで時間が短い。【００１５】電気ヒータを使って食品を加熱する調理器をフィルム状のヒータで構成することで、フィルム状のヒータの熱が食品に均一に伝わる。
【考案を実地するための最良の形態】
【００１６】固まっても柔軟性のあり耐熱性のあるシリコン接着剤とカーボン粉末とＥＶＡを練って固めたヒータの片面に、１００ミクロン以下のＰＥＮフィルムを貼り、更に１ミリ〜０．１ミリのアルミを耐熱性のあるシリコン系接着剤で貼り付け、もう片面にセラミックファイバーを繊維状に編んだファイヤーストップペーパーを耐熱性のあるシリコン系接着剤で貼り付けて、電気ヒータを使って食品を加熱する調理器にする。
【００１７】更に、形状記憶合金の足を付けて温度が上がるとシート状のヒータを調理が出来る形状に変化できるように形状記憶合金の変形で器の形にする。
【００１８】電気ヒータを使って食品を加熱する携帯用の調理器の場合は上記調理器に、バッテリと取り付けて外部電源を不要にし、野外で使用できるようにする。
【００１９】または、車のバッテリから電気を取り出せるようにシガーライタソケットを取り付け野外で使用できるようにする。
【００２０】キッチンユニットに取り付け、容易に凸凹のないクッキングヒータの場合は、フィルム状のヒータにＡＣ１００Ｖの電圧をかけて、１枚のフィルム状のヒータで温度を２００℃まで温度上昇できるようにフィルム状のヒータの抵抗値を厚さ、接着剤とカーボン粉末の混合率で調整する。
【図面の簡単な説明】
【図１】本考案の構造図
【符号の説明】
１    フィルム状の熱伝導素材
２    フィルム状のヒータ
３    フィルム状の非熱伝導素材
４    フィルム状の電極
【図１】
0003132942.tif 000003